(57)【特許請求の範囲】
【請求項１】
容器の口部を密封するシート状蓋における引き剥がし用の延出片に付設する把持部材であって、
該把持部材は、前記シート状蓋の延出片の表裏に取り付けるための指掛けリングと、該指掛けリングをシート状蓋の延出片に固着するための基部とからなり、
前記基部は、前記指掛けリングと折曲部を介して一体に連結された基板と、該基板に相対して前記シート状蓋の延出片に固着するためのホルダーとからなり、
該指掛けリングと基板とにまたがって容器側に補強リブを設け、
前記基部の基板とホルダーとがヒンジ結合しており、
前記ホルダーには、前記基板と相対する側に突設するキノコ状嵌着片が形成され、
前記基板には、前記キノコ状嵌着片と嵌合する係止用孔が形成され、
前記キノコ状嵌着片の先端が前記基板から露出しない程度の段落部が形成されていることを特徴とする把持部材。
【請求項２】
請求項１に記載の把持部材を取り付けられてなるシート状蓋を有することを特徴とする容器。
【発明の詳細な説明】
【技術分野】
【０００１】
本発明は、容器の口部を密封するシート状蓋における、引き剥がし用の延出片に付設する把持部材に関し、より詳しくは、指掛けリングと延出片に固着するための基部とからなる把持部材及びこれを付設したシート状蓋付の容器に関する。
【背景技術】
【０００２】
従来、容器の口部をシート状蓋にて密封している場合、その開封は、シート状蓋の外方に延びる引き剥がし用の延出片を手指でつかみ、容器の口部からシート状蓋を引き剥がすことにより行なわれる。しかしながら、流通過程で容器の口部からシート状蓋が剥がれないことが要求されるために、使用時においては、成人男子であっても容器の口部からシート状蓋を引き剥がすことは容易でないことをしばしば体験するところである。つまり、このシート状蓋付の容器は、密封保持性が充分あること、しかも簡易に開封出来る、という相反することが同時に要求される。このような要求に耐え得るシート蓋付の容器として、下記のものが知られている。
【特許文献１】実開昭５９−１１２７７０号公報
【０００３】
この特許文献１に係るシート状蓋付の容器は、図１０に示すように、カップ状の容器５０の口部５１外縁にフランジを周設し、容器本体の口部内に嵌合する皿状の蓋体５２を嵌めて密封したものであり、この皿状の蓋体５２には、外方に延びる一体に形成した指掛け突片５３があり、この指掛け突片５３の基部には開封しやすいように切れ目５４が刻まれ、この指掛け突片５３のリング５５に手指を掛けて容易に開封することが出来るようになっている。
【発明の開示】
【発明が解決しようとする課題】
【０００４】
上記特許文献１の皿状の蓋体付の容器は、まず皿状の蓋体５２と指掛け突片５３とを一体で形成する工程、その後容器に接着又は溶着する工程が必要となるが、その場合、比較的薄く成形される皿状の蓋体と、しっかりと把持出来る様ある程度の剛性が必要な突片を同じ樹脂で一体成形する事は形状厚みが不均一である為、生産効率が悪く、問題がある。また、この指掛け突片付き皿状の蓋体を容器に接着又は溶着する際の容器への装着性、供給性が悪い事が予想される。そして、皿状の蓋体が紙製、アルミシール製の場合は、開封時に破断する事のない強度を持つ指掛け突片を一体成形で設ける事は技術的に困難である。
【０００５】
そこで、本発明の目的は、シート状蓋付の容器に関し、力の弱い人間でも簡易に開封する事が出来、生産性、成形性に優れた取付可能な把持部材及びこれを付設したシート状蓋付の容器を提供することにある。
【課題を解決するための手段】
【０００６】
本発明は、上記目的を達成するために提案されたものであって、下記の構成からなることを特徴とするものである。
すなわち、本発明によれば、容器の口部を密封するシート状蓋における引き剥がし用の延出片に付設する把持部材であって、
該把持部材は、前記シート状蓋の延出片の表裏に取り付けるための指掛けリングと、該指掛けリングをシート状蓋の延出片に固着するための基部とからなり、
前記基部は、前記指掛けリングと折曲部を介して一体に連結された基板と、該基板に相対して前記シート状蓋の延出片に固着するためのホルダーとからなり、
該指掛けリングと基板とにまたがって容器側に補強リブを設け、
前記基部の基板とホルダーとがヒンジ結合しており、
前記ホルダーには、前記基板と相対する側に突設するキノコ状嵌着片が形成され、
前記基板には、前記キノコ状嵌着片と嵌合する係止用孔が形成され、
前記キノコ状嵌着片の先端が前記基板から露出しない程度の段落部が形成されていることを特徴とする把持部材が提供される。
【００１０】
また、本発明によれば、上記の把持部材を取り付けられてなるシート状蓋を有することを特徴とする容器が提供される。
【発明の効果】
【００１１】
本発明の把持部材は、現在市場に流通する様々な容器のシート状蓋の材質によらずシート状蓋の延出片に基部を強固に固着することが可能であり、容器からのシート状蓋の開封の際、把持部材の指掛けリングに手指を掛け得るから、それにより容器からシート状蓋を容易に剥がし開封出来る。したがって、容器の密封保持性が確実でしかも簡易に開封出来、容器への装着性、生産時の供給性、また成形性に優れた把持部材が提供することが可能となる。
【００１２】
また、本発明の把持部材は、指掛けリングと一体延設の基板上にシート状蓋の延出片を置き、さらにその上に基板の係止用孔にキノコ状嵌着片が位置するようにホルダーを置いて、圧力をかけて延出片を貫通して基板の係止用孔にキノコ状嵌着片を押し込めば、延出片に把持部材を付設出来る。したがって、上記効果に加えて、シート状蓋の延出片に把持部材を極めて容易に付設出来る効果がある。
【００１３】
また、本発明の把持部材は、ヒンジ結合している基部の基板とホルダーとの間にシート状蓋の延出片を置き、圧力をかけて延出片を貫通して基板の係止用孔にキノコ状嵌着片を押し込めば、延出片に把持部材を付設出来る。したがって、上記効果に加えて、基板の係止用孔にキノコ状嵌着片が位置するようにホルダーを置く、位置決め作業が省ける効果がある。
【００１４】
また、本発明の把持部材は、補強リブにより基部の基板と指掛けリングの折曲部との間の結合強度が増す。したがって、上記効果に加えて、結合強度が増した分、基部の基板と指掛けリングとが分離する虞がなくなる効果がある。
【００１５】
また、本発明の容器は、上記の把持部材を後付けしたシート状蓋により密封され、容器の内容物が必要の際、後付けの把持部材により容器の口部からシート状蓋が容易に剥がされ開封されて、内容物が飛び出したりせず容易に利用できる効果がある。
【発明を実施するための最良の形態】
【００１６】
以下に、図面を参照して本発明を実施するための最良の形態を説明する。
【実施例１】
【００１７】
図１は本発明の実施の形態を示す把持部材を固着したシート状蓋付の容器の側面図、図２は図１の容器の平面図、図３は把持部材における指掛けリングと基部の基板とを示した正面図、図４は図３状態の把持部材の平面図、図５は図３状態の把持部材の側面図、図６は把持部材における基部のホルダーの側面図、図７は把持部材における基部のホルダーの平面図である。図面において、把持部材１は、容器２の口部３を密封するシート状蓋４における引き剥がし用の延出片５に付設するものであって、この把持部材１は、シート状蓋４の延出片５の表裏に取り付けるための指掛けリング６と、この指掛けリング６をシート状蓋４の延出片５に固着するための基部７とからなり、この基部７は、指掛けリング６と一体に延設された基板１０と、この基板１０に相対してシート状蓋４の延出片５に固着するためのホルダー１１とからなるものである。
【００１８】
前記容器２としては、液状内容物や固体状内容物を充填出来るものであり、且つ容器２の口部３を延出片５付のシート状蓋４により密封出来るものであれば、形状などに特に限定がない。容器２の材質も、主に合成樹脂や紙であるが、これにも特に限定がない。しかしながら、容器２内の液状内容物や固体状内容物の利用のし易さからの観点から、容器ロ部３が広口である場合が多い。
【００１９】
そして、シート状蓋４は、これを容器２の口部３から引き剥がすための延出片５があること、加えて、この延出片５に前記把持部材１を付設することが出来ること以外に、特に限定がない。しかしながら、把持部材１が、後に詳述するように、基板１０とホルダー１１との間に延出片５をはさみ、圧力をかけて延出片５を貫通して、基板１０の係止用孔１４にホルダー１１のキノコ状嵌着片１３を嵌合させることで、延出片５に把持部材１を付設する方式である場合、所定の力でキノコ状嵌着片１３が延出片５を貫通出来る事が好ましい。
【００２０】
把持部材１は、既述のとおり、前記指掛けリング６と前記基部７とからなり、この基部７は、指掛けリング６とこれの折曲部６ａを介して連結した基板１０と、この基板１０と相俟ってシート状蓋４の延出片５に固着するホルダー１１とからなる。指掛けリング６は、文字どおり手指をかけてシート状蓋４を開封するためのリングであり、基部７の基板１０と連結され、基板１０と指掛けリング６が折曲部６ａを介して連結されている部分の容器側に補強リブ１２を設けることにより、当該部分が補強され、指掛けリング６と基板１０の形状を維持することが出来る。一方、ホルダー１１には、基板１０と相対する側に突設するキノコ状嵌着片１３が形成され、上記した指掛けリング６と連結した基板１０には、キノコ状嵌着片１３と嵌合する係止用孔１４が形成されている。
【００２１】
したがって、把持部材１は、指掛けリング６と一体に連結した基板１０上にシート状蓋４の延出片５を置き、さらにその上に基板１０の係止用孔１４にキノコ状嵌着片１３が位置するようにホルダー１１を置いて、ホルダー１１側から圧力をかけて基板１０の係止用孔１４にキノコ状嵌着片１３を押し込めば、延出片５に把持部材１を容易に付設することが出来る。
【００２２】
なお、基板１０に形成される係止用孔１４には、図８に示すように、キノコ状嵌着片１３の先端１３ａが基板１０から露出しない程度の段落部１４ａが形成されている。したがって、この把持部材１は、基板１０の係止用孔１４に押し込まれたキノコ状嵌着片１３が段落部１４ａにより抜け辛く、且つその先端１３ａが基板１０から露出しないから、延出片５から外れにくく、キノコ状嵌着片１３の出っ張りによる引っ掛かりもなく、見栄えも良い。
【００２３】
図９は本発明の実施の形態を示す把持部材の変形例であり、この把持部材１Ａと図３ないし７の把持部材１との相違点は、２ピースである前記指掛けリング６に一体の基板１０とホルダー１１とが、ヒンジ１５により連結され、１ピースとなっている点にある。このため、把持部材１Ａにおける、ヒンジ１５により結合している基部７の基板１０とホルダー１１との間にシート状蓋４の延出片５を置き、ホルダー１１側から圧力をかけて基板１０の係止用孔１４にキノコ状嵌着片１３を押し込めば、延出片５に把持部材１Ａを付設することが出来る。したがって、基板１０の係止用孔１４に、キノコ状嵌着片１３が位置するように、ホルダー１１を置く位置決め作業を省くことが出来る。なお、シート状蓋４の延出片５に把持部材１を付設する方式は、上記のものに限定されるものではなく、予め延出片５に基板１０の係止用孔１４と対応した位置に係止用孔を設けておく事も出来る。
【００２４】
次に、図面を参照して、上記構成になる把持部材１、１Ａの使用について説明する。
まず、容器２内に液状及び／または固体状の内容物を充填した後、容器口部３に延出片５付のシート状蓋４を貼り付け密封する。次に、シート状蓋４の延出片５に２ピースの把持部材１を付設する。すなわち、シート状蓋４の延出片５を指掛けリング６と一体形成の基板１０上に置き、さらにその上に基板１０の係止用孔１４にキノコ状嵌着片１３が位置するようにホルダー１１を置いて、ホルダー１１側から圧力をかけて、キノコ状嵌着片１３により延出片５を貫通し、さらに基板１０の係止用孔１４にキノコ状嵌着片１３を押し込んで、延出片５に把持部材１を付設する。あるいは、把持部材１Ａの場合は、指掛けリング６と一体連結の基板１０と、ホルダー１１とがヒンジ１５により結合して１ピースとなっているから、これらの間にシート状蓋４の延出片５を置き、基板１０の係止用孔１４とキノコ状嵌着片１３との位置決めすることなく、ホルダー１１側から圧力をかければ、延出片５に把持部材１Ａを付設することが出来る。なお、容器口部３に延出片５付のシート状蓋４を貼り付け密封する前に、上記の方法で延出片５付のシート状蓋４に把持部材１あるいは１Ａを付設しても、差し支えない。
【００２５】
そして、容器２内の液状及び／または固体状の内容物の利用に際して、消費者は、把持部材１あるいは１Ａの指掛けリング６に手指をかけて、開封方向に引っ張れば、容易に容器口部３からシート状蓋４を剥がし開封することが出来る。すなわち、指掛けリング６に手指をかけ得るから、幼児や老人でも容易に容器口部３からシート状差４を剥がし、開封することが可能となる。したがって、開封の際の力加減を誤って内容物がこぼれたりする事態を防止出来る。また、現行設備におけるシート状蓋４の延出片５に、把持部材１を後付けで取り付けることが出来るから、現行設備に把持部材１の取り付け工程を付加するという、最少限の設備変更で可能となる。
【００２６】
以上、本発明の実施例１を説明したが、具体的な構成はこれに限定されず、本発明の要旨を逸脱しない範囲での変更は適宜可能であることは理解されるべきである。
【産業上の利用可能性】
【００２７】
本発明の易引き剥がし部材は、シート状蓋にて容器口部を密封しているものに関し、密封保持性が確実でしかも簡易に開封出来ように、後付で変更したいような場合に利用可能性があり、特に現行設備の変更を最少限にしたい場合に極めて高い利用可能性がある。
【図面の簡単な説明】
【００２８】
【図１】本発明の実施の形態を示す把持部材を取り付けたシート状蓋付の容器の側面    図である。
【図２】図１の蓋付容器における容器の平面図である。
【図３】把持部材における指掛けリングと基部の基板とを示した正面図である。
【図４】図３状態の把持部材の平面図である。
【図５】図３状態の把持部材の側面図である。
【図６】把持部材における基部のホルダーの側面図である。
【図７】把持部材における基部のホルダーの平面図である。
【図８】シート状蓋の延出片に把持部材を付設する状況を示す断面図である。
【図９】本発明の実施の形態を示す把持部材の変形例の断面図である。
【図１０】従来例を示す斜視図である。
【符号の説明】
【００２９】
１，１Ａ                  把持部材
２，５０                  容器
３，５１                  口部
４，５２                  シート状蓋
５                        延出片
６                        指掛けリング
６ａ                      折曲部
７                        基部
１０                      基板
１１                      ホルダー
１２                      補強リブ
１３                      キノコ状嵌着片
１３ａ                    先端
１４                      係止用孔
１４ａ                    段落部
１５                      ヒンジ
５３                      指掛け突片
５４                      切れ目
５５                      リング
【図１】
0005030706.tif 000002
【図２】
0005030706.tif 000003
【図３】
0005030706.tif 000004
【図４】
0005030706.tif 000005
【図５】
0005030706.tif 000006
【図６】
0005030706.tif 000007
【図７】
0005030706.tif 000008
【図８】
0005030706.tif 000009
【図９】
0005030706.tif 000010
【図１０】
0005030706.tif 000011